【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】
プリンタの出力条件を設定するための設定プログラムを生成するプログラム編集装置であって、
前記設定プログラムのフィールド値を入力する入力手段と、
前記入力手段から入力される前記フィールド値を編集し前記設定プログラムを生成する生成手段とを備え、
前記設定プログラムは、基準印刷枠の印刷媒体上の位置と大きさを決める印刷枠設定値と、前記基準印刷枠とプリンタが取得する画像データとをプリンタにおいて関連づけるための識別子とをフィールドに有し、
前記設定プログラムに基づいて作動するプリンタによって、画像データは前記識別子によって関連づけられる基準印刷枠内に印刷されることを特徴とするプログラム編集装置。
【請求項２】
前記設定プログラムは、画像データに施すフィルタ処理の条件を決めるフィルタ設定値をフィールドに有し、
前記設定プログラムに基づいて作動する前記プリンタによって、画像データは前記フィルタ設定値に基づくフィルタ処理を施されて印刷されることを特徴とする請求項１記載のプログラム編集装置。
【請求項３】
前記設定プログラムは、前記基準印刷枠に画像データを割り付ける条件を決める割付設定値をフィールドに有し、
前記設定プログラムに基づいて作動する前記プリンタによって、画像データは前記割付設定値に基づいて前記基準印刷枠に割り付けられて印刷されることを特徴とする請求項１または２記載のプログラム編集装置。
【請求項４】
プリンタの出力条件を設定するための設定プログラムを生成するプログラム編集装置であって、
任意の画像が割り付けられる印刷媒体上の基準印刷枠の位置と大きさを決める印刷枠設定値と、前記基準印刷枠に前記任意の画像を割り付ける条件を決める割付設定値とをフィールドに有する前記設定プログラムを入力操作に応じて生成する生成手段と、
前記割付設定値によって決まる前記基準印刷枠と前記画像との相対位置関係を矩形枠と前記矩形枠内に位置する楕円または楕円の一部との相対位置関係によって模擬表示する表示手段と、
を備えることを特徴とするプログラム編集装置。
【請求項５】
前記基準印刷枠を矩形枠で模擬表示し前記基準印刷枠への割り付けによって画像データに生ずるひずみを前記矩形枠内に位置する楕円で模擬表示する表示手段を備え、画像データの縦方向の拡大率と横方向の拡大率との比と前記楕円の短軸と長軸との比とに相関関係をもたせることを特徴とする請求項４記載のプログラム編集装置。
【請求項６】
プリンタの出力条件を設定するための設定プログラムを生成するプログラム編集装置としてコンピュータを機能させるための編集プログラムであって、
任意の画像が割り付けられる印刷媒体上の基準印刷枠の位置と大きさを決める印刷枠設定値と、前記基準印刷枠に前記任意の画像を割り付ける条件を決める割付設定値とをフィールドに有する前記設定プログラムを入力操作に応じて生成する生成手段と、
前記割付設定値によって決まる前記基準印刷枠と前記画像との相対位置関係を矩形枠と前記矩形枠内に位置する楕円または楕円の一部との相対位置関係によって模擬表示する表示手段としてコンピュータを機能させることを特徴とする編集プログラムが記録されたコンピュータ読み取り可能な記録媒体。
【手続補正２】
【補正対象書類名】明細書
【補正対象項目名】０００６
【補正方法】変更
【補正の内容】
【０００６】
【課題を解決するための手段】
プログラム編集装置は、プリンタの出力条件を設定するための設定プログラムを生成するプログラム編集装置であって、設定プログラムのフィールド値を入力する入力手段と、入力手段から入力されるフィールド値を編集し設定プログラムを生成する生成手段とを備える。設定プログラムは、基準印刷枠の印刷媒体上の位置と大きさを決める印刷枠設定値と、基準印刷枠とプリンタが取得する画像データとをプリンタにおいて関連づけるための識別子とをフィールドに有する。設定プログラムに基づいて作動するプリンタによって、画像データは識別子によって関連づけられる基準印刷枠内に印刷される。


【手続補正３】
【補正対象書類名】明細書
【補正対象項目名】０００７
【補正方法】変更
【補正の内容】
【０００７】
識別子は、オペレータが一の基準印刷枠に対して一の画像データを選択することにより、所望の画像データをあらかじめ決められた基準印刷枠内に印刷することを可能とするものである。すなわち、印刷枠設定値によって規定される基準印刷枠に対して識別子を記述することにより、この識別子を介して基準印刷枠とプリンタにおいて取得される画像データとをプリンタにおいて関連づけることが可能となる。画像の基準印刷枠を決める印刷枠設定値は、例えば、印刷用紙１枚分に相当する印刷イメージデータをｘｙ座標平面上に割り当てた場合に、画像の基準印刷枠の左上角が位置する座標及び右下角が位置する座標とすることができる。
プログラム編集装置によると、プリンタが取得する画像データの出力条件を設定する設定プログラムを生成することにより、プリンタの出力条件の設定機能を複雑化することなく、プリンタに自由な出力条件の下で画像を印刷させることができる印刷システムを構築することができる。


【手続補正４】
【補正対象書類名】明細書
【補正対象項目名】０００８
【補正方法】変更
【補正の内容】
【０００８】
プログラム編集装置によると、設定プログラムは、画像データに施すフィルタ処理の条件を決めるフィルタ設定値をフィールドに有し、設定プログラムに基づいて作動するプリンタによって、画像データはフィルタ設定値に基づくフィルタ処理を施されて印刷される。このため、設定プログラム生成時に予定したフィルタ処理が施された画像データをプリンタに印刷させることができる。


【手続補正５】
【補正対象書類名】明細書
【補正対象項目名】０００９
【補正方法】変更
【補正の内容】
【０００９】
プログラム編集装置によると、設定プログラムは、基準印刷枠に画像データを割り付ける条件を決める割付設定値をフィールドに有し、設定プログラムに基づいて作動するプリンタによって、画像データは割付設定値に基づいて基準印刷枠に割り付けられて印刷される。ここで基準印刷枠に画像データを割り付ける条件とは、基準印刷枠の縦横比に画像データの縦横比を合わせるように画像データの縦方向の拡大率と横方向の拡大率を変えて割り付けるのか、画像データの縦横比を変えずに画像データの一部を切り取って基準印刷枠に割り付けるのか、或いは画像データの縦横比を変えずに基準印刷枠に一部余白を残して画像データを割り付けるのか等、基準印刷枠と大きさ及び形が異なる画像データをどのように加工して基準印刷枠に割り付けるかを規定する条件をいう。このような条件が設定プログラムに記述されるため、設定プログラム生成時に予定した画像データのトリミング処理及び変形処理が施された画像データをプリンタに印刷させることができる。


【手続補正６】
【補正対象書類名】明細書
【補正対象項目名】００１０
【補正方法】変更
【補正の内容】
【００１０】
プログラム編集装置によると、割付設定値によって決まる基準印刷枠と画像データとの相対位置関係を矩形枠とこの矩形枠内に位置する楕円または楕円の一部との相対位置関係によって模擬表示する表示手段を備える。このため、プログラム編集装置のオペレータは印刷対象の画像データが特定されていなくてもプリンタにおいて取得される画像データがどのようにトリミングされて印刷されるかを視覚的に認知することができる。


【手続補正７】
【補正対象書類名】明細書
【補正対象項目名】００１１
【補正方法】変更
【補正の内容】
【００１１】
プログラム編集装置によると、基準印刷枠を矩形枠で模擬表示し基準印刷枠への割り付けによって画像データに生ずるひずみを矩形枠内に位置する楕円で模擬表示する表示手段を備え、画像データの縦方向の拡大率と横方向の拡大率との比と楕円の短軸と長軸との比とに相関関係をもたせる。このため、プログラム編集装置のオペレータは印刷対象の画像データが特定されていなくてもプリンタにおいて取得される画像データがどのようにひずむかを視覚的に認知することができる。


【手続補正８】
【補正対象書類名】明細書
【補正対象項目名】００１２
【補正方法】変更
【補正の内容】
【００１２】
設定プログラムは、基準印刷枠の印刷媒体上の位置と大きさを決める印刷枠設定値と、基準印刷枠とプリンタが取得する画像データとをプリンタにおいて関連づけるための識別子とをフィールドに有する。設定プログラムが処理装置に実行されることによって、画像データは識別子によって関連づけられる基準印刷枠内に印刷される。このため、プリンタが取得する画像データの出力条件を設定する設定プログラムを生成することにより、プリンタの出力条件の設定機能を複雑化することなく、プリンタに自由な出力条件の下で画像を印刷させることができる印刷システムを構築することができる。


【手続補正９】
【補正対象書類名】明細書
【補正対象項目名】００１３
【補正方法】変更
【補正の内容】
【００１３】
設定プログラムは、画像データに施すフィルタ処理の条件を決めるフィルタ設定値をフィールドに有し、設定プログラムが処理装置に実行されることによって、画像データはフィルタ設定値に基づくフィルタ処理を施されて印刷される。このため、設定プログラム生成時に予定したフィルタ処理が施された画像データをプリンタに印刷させることができる。


【手続補正１０】
【補正対象書類名】明細書
【補正対象項目名】００１４
【補正方法】変更
【補正の内容】
【００１４】
設定プログラムは、基準印刷枠に画像データを割り付ける条件を決める割付設定値をフィールドに有し、設定プログラムが処理装置に実行されることによって、画像データは割付設定値に基づいて基準印刷枠に割り付けられて印刷される。このため、設定プログラム生成時に予定した画像データのトリミング処理及び変形処理が施された画像データをプリンタに印刷させることができる。


【手続補正１１】
【補正対象書類名】明細書
【補正対象項目名】００１５
【補正方法】変更
【補正の内容】
【００１５】
編集プログラムは、割付設定値によって決まる基準印刷枠と画像データとの相対位置関係を矩形枠とこの矩形枠内に位置する楕円または楕円の一部との相対位置関係によって模擬表示する手順を含む。このため、プログラム編集装置のオペレータは印刷対象の画像データが特定されていなくてもプリンタにおいて取得される画像データがどのようにトリミングされて印刷されるかを視覚的に認知することができる。


【手続補正１２】
【補正対象書類名】明細書
【補正対象項目名】００１６
【補正方法】変更
【補正の内容】
【００１６】
編集プログラムは、基準印刷枠を矩形枠で模擬表示し基準印刷枠への割り付けによって画像データに生ずるひずみを矩形枠内に位置する楕円で模擬表示する手順を含み、画像データの縦方向の拡大率と横方向の拡大率との比と楕円の短軸と長軸との比とに相関関係をもたせる。このため、プログラム編集装置のオペレータは印刷対象の画像データが特定されていなくてもプリンタにおいて取得される画像データがどのようにひずむかを視覚的に認知することができる。